(57)【要約】【課題】コストダウンを達成することが可能な表示装置の製造方法を提供する。【解決手段】共通に準備された表示部材１と、第１の収納部２１と、第１，第２の取付部２２，２３と、第１の係合部２４とを有する下ケース２と、第２の収納部５１と、第３，第４の取付部５２，５３と、第２の係合部５４とを有し、第３，第４の取付部５２，５３の構造が第１，第２の取付部２２，２３の構造と異なる以外は下ケース２と同一構造の下ケース５と、第１，第２の係合部２４，５４の双方に係合可能な係合部４４を有し、各下ケース２，５に対して共通に準備された上ケース４と、を用意し、第１の収納部５１に表示部材１を配設した状態で第１の係合部２４に係合部４４を係合することにより下ケース２に上ケース４を組み付けると共に、第２の収納部５１に表示部材１を配設した状態で第２の係合部５４に係合部４４を係合することにより下ケース５に上ケース４を組み付ける。【選択図】  図１
2009122161.tif 000002
【特許請求の範囲】
【請求項１】
共通に準備された表示部材と、
前記表示部材を配設する第１の配設部と、この第１の配設部を挟んで相反する方向に各々突出形成される第１，第２の取付部と、前記第１の配設部の周囲に複数形成される第１の係合部とを有する第１のケース体と、
前記表示部材を配設する第２の配設部と、この第２の配設部を挟んで相反する方向に各々突出形成される第３，第４の取付部と、前記第２の配設部の周囲に複数形成される第２の係合部とを有し、前記第３，第４の取付部の構造が前記第１，第２の取付部の構造と異なる以外は前記第１のケース体と同一構造の第２のケース体と、
前記第１のケース体の第１の係合部及び前記第２のケース体の第２の係合部の双方に係合可能な第３の係合部を有し、前記第１，第２のケース体に対して共通に準備された第３のケース体と、を用意し、
前記第１の配設部に前記表示部材を配設した状態で前記第１の係合部に前記第３の係合部を係合することにより前記第１のケース体に前記第３のケース体を組み付けると共に、前記第２の配設部に前記表示部材を配設した状態で前記第２の係合部に前記第３の係合部を係合することにより前記第２のケース体に前記第３のケース体を組み付けることを特徴とする表示装置の製造方法。
【請求項２】
前記第３のケース体が前記第１，第２の取付部及び前記第３，第４の取付部に対応する第５，第６の取付部を有し、
前記表示部材と前記第３のケース体との間に前記表示部材の可視エリアを規定する第１の透視部を有する第１のマスク部材を組み付け、
前記表示部材と前記第３のケース体との間に前記表示部材の可視エリアを規定する第２の透視部を有すると共に前記第２の透視部の位置設定が前記第１のマスク部材における前記第１の透視部の位置設定とは異なる第２のマスク部材を組み付けることを特徴とする請求項１記載の表示装置の製造方法。
【発明の詳細な説明】
【技術分野】
【０００１】
本発明は、例えば車両に搭載される表示装置の製造方法に関するものである。
【背景技術】
【０００２】
この種の表示装置として、例えば特許文献１に記載されたものが知られている。この表示装置は、液晶パネルからなる表示部材と、この表示部材を収納する収納部とこの収納部を挟んで相反する方向に各々突出形成される第１，第２の取付部と収納部の周囲に複数形成される第１の係合部とを有する下ケースと、下ケースの第１の係合部に係合可能な第２の係合部を有する上ケースとからなり、下ケースの収納部に表示部材を収納した状態で第１の係合部に第２の係合部を係合することにより下ケースに上ケースを組み付けてなるもので、下ケースの取付部を通じて取付対象（この場合はメインハウジング）に取り付けられる。
【０００３】
ところで、この種の表示装置は、直接、車体（ダッシュボード）に取り付けられることがある。この場合、車両のバリエーション、例えば右ハンドル車と左ハンドル車で、表示装置を取り付けるべき車体側の構造が異なる場合があり、これまでは、左ハンドル車用の上下ケース、右ハンドル車用の上下ケースをそれぞれ専用に用意していた。
【特許文献１】特開平８−１２９１６５号公報
【発明の開示】
【発明が解決しようとする課題】
【０００４】
しかしながら、前記のごとき右ハンドル車と左ハンドル車の例では、車両のバリエーションに応じて少なくとも４種類のケースを準備する必要があり、金型費、部品管理費が嵩み、コストアップにつながるという問題があった。
【０００５】
本発明は前述した問題点に着目し、コストダウンを達成することが可能な表示装置の製造方法を提供するものである。
【課題を解決するための手段】
【０００６】
本発明は、前述した課題を解決するため、共通に準備された表示部材と、前記表示部材を配設する第１の配設部と、この第１の配設部を挟んで相反する方向に各々突出形成される第１，第２の取付部と、前記第１の配設部の周囲に複数形成される第１の係合部とを有する第１のケース体と、前記表示部材を配設する第２の配設部と、この第２の配設部を挟んで相反する方向に各々突出形成される第３，第４の取付部と、前記第２の配設部の周囲に複数形成される第２の係合部とを有し、前記第３，第４の取付部の構造が前記第１，第２の取付部の構造と異なる以外は前記第１のケース体と同一構造の第２のケース体と、前記第１のケース体の第１の係合部及び前記第２のケース体の第２の係合部の双方に係合可能な第３の係合部を有し、前記第１，第２のケース体に対して共通に準備された第３のケース体と、を用意し、前記第１の配設部に前記表示部材を配設した状態で前記第１の係合部に前記第３の係合部を係合することにより前記第１のケース体に前記第３のケース体を組み付けると共に、前記第２の配設部に前記表示部材を配設した状態で前記第２の係合部に前記第３の係合部を係合することにより前記第２のケース体に前記第３のケース体を組み付けることを特徴とする。
【０００７】
また本発明は、前記第３のケース体が前記第１，第２の取付部及び前記第３，第４の取付部に対応する第５，第６の取付部を有し、前記表示部材と前記第３のケース体との間に前記表示部材の可視エリアを規定する第１の透視部を有する第１のマスク部材を組み付け、前記表示部材と前記第３のケース体との間に前記表示部材の可視エリアを規定する第２の透視部を有すると共に前記第２の透視部の位置設定が前記第１のマスク部材における前記第１の透視部の位置設定とは異なる第２のマスク部材を組み付けることを特徴とする。
【発明の効果】
【０００８】
本発明によれば、初期の目的を達成することができ、コストダウンを達成することが可能な表示装置の製造方法を提供することができる。
【発明を実施するための最良の形態】
【０００９】
以下、本発明の実施の形態について添付図面を用いて説明する。
【００１０】
図１及び図２は、本発明を例えば車両用の表示装置に適用した一実施形態を示すもので、図１は表示装置の分解斜視図で、（ａ）は左ハンドル車に搭載する表示装置の分解斜視図、（ｂ）は右ハンドル車に搭載する表示装置の分解斜視図、図２は表示装置の組み付け完了状態を示す側面図で、（ａ）は左ハンドル車に搭載する表示装置の側面図、（ｂ）は右ハンドル車に搭載する表示装置の側面図である。
【００１１】
図１（ａ）において、左ハンドル車に搭載する表示装置は、表示部材１と、下ケース（第１のケース体）２と、第１のマスク部材３と、上ケース（第３のケース体）４とから構成されている。
【００１２】
表示部材１は、例えば液晶パネルからなるもので、長手状に延び、様々な車両情報を表示できるように構成されている。
【００１３】
下ケース２は、遮光性合成樹脂からなり、表示部材１に沿った長手状の箱形を有し、表示部材１を収納保持（配設）する第１の収納部（第１の配設部）２１と、この第１の収納部２１を挟んで相反する方向（長手方向）に各々突出形成され、図示しない車体側の取付部に取り付けられる第１，第２の取付部２２，２３と、第１の収納部２１の周囲、この場合、第１，第２の取付部２２，２３が形成されない側壁部に複数形成される第１の係合部２４とを備えている。
【００１４】
この場合、第１，第２の取付部２２，２３は、図１（ａ）中、右下側に位置する第１の取付部２２の突出寸法よりも図１（ａ）中、左上側に位置する第２の取付部２３の突出寸法の方が大きく設定され、第１，第２の取付部２２，２３のそれぞれに取付孔２５，２６が形成されている。
【００１５】
また第１の係合部２４は、上ケース４の後述する係合部（第３の係合部）が係合するもので、互いに隣接する第１，第２の係合凹部２７，２８を有している。また第１の係合部２４は図１中、収納部２１の上側のみに図示されているが、下側にも上側と同数形成されている。
【００１６】
第１のマスク部材３は、表示部材１及び下ケース２の長手方向両端部を覆う遮蔽部３１と、表示部材１を透視可能な第１の透視部３２とを備えた合成樹脂部材からなる。
【００１７】
上ケース４は、遮光性合成樹脂からなり、表示部材１に沿った長手状の箱形を有し、表示部材１及び第１のマスク部材３を収納保持する第１の収容部４１と、この第１の収容部４１を挟んで相反する方向（長手方向）に各々突出形成され、下ケース２の第１，第２の取付部２２，２３と組み合わされて図示しない車体側の取付部に取り付けられる第５，第６の取付部４２，４３と、第１の収容部４１の周囲、この場合、第５，第６の取付部４２，４３が形成されない側壁部に複数形成される係合部（第３の係合部）４４とを備えている。
【００１８】
この場合、第１の収容部４１には、マスク部材３を通して表示部材１を透視可能な開口部４５が形成されている。
【００１９】
また第５，第６の取付部４２，４３は、図１（ａ）中、右下側に位置する第１の取付部４２の突出寸法と、図１（ａ）中、左上側に位置する第２の取付部４３の突出寸法は同じに設定され、さらに第５，第６の取付部４２，４３には、第１，第２の取付部２２，２３の取付孔２５，２６に対応する取付孔４５，４６が形成されている。
【００２０】
このように構成される表示部材１と、下ケース２と、第１のマスク部材３と、上ケース４は、例えば下ケース２の収納部２１に表示部材１を収納して位置決めし、次に収納部２１の開口側にマスク部材３を配置して位置決めし、最後に下ケースに上ケース４を被せて上ケース４の係合部４４のフック部を下ケース２の第１の係合部２４の第１の係合凹部２７に係合させて組み付けが完了する（図２参照）。この状態で第１，第２の取付部２２，２３と第５，第６の取付部４２，４３が位置合わせされ、各取付孔２５，２６，４５，４６を通じてネジ等により図示しない車体側に取り付けられる。
なお第２の係合凹部２８は使用されない。また図２では、下ケース２の背後を覆うカバーＣが図示されているが、このカバーＣは図１（ａ）では省略してある。
【００２１】
図１（ｂ）において、右ハンドル車に搭載する表示装置は、表示部材１と、下ケース（第２のケース体）５と、第２のマスク部材６と、上ケース（第３のケース体）４とから構成されている。
【００２２】
表示部材１は、例えば液晶パネルからなるもので、左ハンドル車に搭載する表示装置の表示部材１と共通に準備され、同一構造を有している。
【００２３】
下ケース５は、遮光性合成樹脂からなり、表示部材１に沿った長手状の箱形を有し、表示部材１を収納保持（配設）する第２の収納部（第２の配設部）５１と、この第１の収納部５１を挟んで相反する方向（長手方向）に各々突出形成され、図示しない車体側の取付部に取り付けられる第３，第４の取付部５２，５３と、第２の収納部５１の周囲、この場合、第３，第４の取付部５２，５３が形成されない側壁部に複数形成される第２の係合部５４とを備えている。
【００２４】
この場合、第３，第４の取付部５２，５３は、図１（ｂ）中、右下側に位置する第３の取付部５２の突出寸法よりも図１（ｂ）中、左上側に位置する第４の取付部５３の突出寸法の方が小さく設定され、第１，第２の取付部５２，５３のそれぞれに取付孔５５，５６が形成されている。
【００２５】
また第２の係合部５４は、上ケース４の係合部（第３の係合部）４４が係合するもので、互いに隣接する第３，第４の係合凹部５７，５８を有している。また第２の係合部５４は図１中、収納部５１の上側のみに図示されているが、下側にも上側と同数形成されている。
【００２６】
第１のマスク部材６は、表示部材１及び下ケース５の長手方向両端部を覆う遮蔽部６１と、表示部材１を透視可能な第２の透視部６２とを備えた合成樹脂部材からなる。
【００２７】
上ケース４は、左ハンドル車に搭載する表示装置の表示部材１と共通に準備され、同一構造を有している。
【００２８】
このように構成される表示部材１と、下ケース５と、第２のマスク部材６と、上ケース４は、例えば下ケース５の収納部５１に表示部材１を収納して位置決めし、次に収納部５１の開口側にマスク部材６を配置して位置決めし、最後に下ケースに上ケース４を被せて上ケース４の係合部４４のフック部を下ケース５の第２の係合部４４の第４の係合凹部５８に係合させて組み付けが完了する（図２参照）。この状態で第３，第４の取付部５２，５３と第５，第６の取付部４２，４３が位置合わせされ、各取付孔５５，５６，４５，４６を通じてネジ等により図示しない車体側に取り付けられる。
なお第３の係合凹部５４は使用されない。また図２では、下ケース５の背後を覆うカバーＣが図示されているが、図１（ｂ）では省略してある。このカバーＣは、左ハンドル車に搭載する表示装置のカバーＣと同一構造を有している。
【００２９】
ここで、左ハンドル車に搭載する表示装置（便宜上、右用表示装置という）の構成部品と、右ハンドル車に搭載する表示装置（便宜上、左用表示装置という）の構成部品とを比較する。
【００３０】
まず表示部材１は、左用表示装置と右用表示装置で構造同一（共通）であり、表示パネルには寸法の差異はないが、表示内容や図示しない付属部品（接続部材等）は若干異なる場合がある。
【００３１】
左用表示装置の下ケース２と右用表示装置の下ケース５は、下ケース２の場合、第１の取付部２２の突出寸法に対して、第２の取付部２３の突出寸法の方が大きく設定され、逆に、下ケース５の場合、第４の取付部５３の突出寸法に対して、第３の取付部５２の突出寸法の方が大きく設定されており、各取付部（第１〜第４の取付部）２２，２３，５２，５３の突出態様が異なる（反対となる）だけで、その他の構造、すなわち第１の係合部２４を含む第１の収納部２１の構造と、第２の係合部５４を含む第２の収納部５１の構造は、同一構造に設定されている。これは下ケース２，５の射出成形時に金型（の一部）を共通化した結果であり、第１の係合部２４を含む第１の収納部２１の構造と、第２の係合部５４を含む第２の収納部５１の構造は、同一構造であるため、この部分は共通の金型（部分）を用いて成型し、取付部（第１〜第４の取付部）２２，２３，５２，５３は、入れ子にて対応することで金型の共通化を図っている。
【００３２】
左用表示装置のマスク部材３と右用表示装置のマスク部材６は、基本的な外形寸法は同じであるが、部品識別の目的から、左用表示装置のマスク部材３には中央に識別突部３３が形成されるのに対し、右用表示装置のマスク部材６には識別突部３３が形成されない点で異なる他、長手方向における各透視部３１，３２の位置が異なっている（長手方向の寸法は各マスク部材３，６で同じ）。すなわち、左用表示装置のマスク部材３は、下ケース２の取付部２３が取付部２２よりも長く突出していることに起因して、透視部３２が全体的に取付部２２側に偏って位置している。これに対し、右用表示装置のマスク部材６は、下ケース５の取付部５２が取付部５３よりも長く突出しているため、透視部３２が全体的に取付部５３側に偏って位置している。
【００３３】
左用表示装置の上ケース４と右用表示装置の上ケース４は、全く同一構造を有している。
【００３４】
以上のように、本実施形態では、共通に準備された表示部材１と、表示部材１を配設する第１の収納部（第１の配設部）２１と、この第１の収納部２１を挟んで相反する方向に各々突出形成される第１，第２の取付部２２，２３と、第１の収納部２１の周囲に複数形成される第１の係合部２４とを有する下ケース（第１のケース体）２と、表示部材１を配設する第２の収納部（第２の配設部）５１と、この第２の収納部５１を挟んで相反する方向に各々突出形成される第３，第４の取付部５２，５３と、第２の収納部５１の周囲に複数形成される第２の係合部５４とを有し、第３，第４の取付部５２，５３の構造が第１，第２の取付部２２，２３の構造と異なる以外は下ケース２と同一構造の下ケース（第２のケース体）５と、下ケース２の第１の係合部２４及び下ケース５の第２の係合部５４の双方に係合可能な係合部（第３の係合部）４４を有し、各下ケース２，５に対して共通に準備された上ケース（第３のケース体）４と、を用意し、第１の収納部５１に表示部材１を配設した状態で第１の係合部２４に係合部４４を係合することにより下ケース２に上ケース４を組み付けると共に、第２の収納部５１に表示部材１を配設した状態で第２の係合部５４に係合部４４を係合することにより下ケース５に上ケース４を組み付けることにより、コストダウンを達成することができる。
【００３５】
すなわち、各取付部（第１〜第４の取付部）２２，２３，５２，５３の突出態様が左用表示装置の下ケース２と右用表示装置の下ケース５とで異なることに起因して、各下ケース２，５における各収納部２１，５１の長手方向における位置が異なる場合であっても、各収納部２１，５１の構造を共通化すると共に各係合部２４，５４の構造を上ケース４の係合部４４と係合可能に共通化することにより、上ケース４の構造を共通化でき、部品管理費を削減できる。また各収納部２１，５１の構造と各係合部２４，５４の構造を共通化することにより金型費を削減できる。
【００３６】
また本実施形態では、上ケース（第３のケース体）４が第１，第２の取付部２２，２３及び第３，第４の取付部５２，５３に対応する第５，第６の取付部４５，４６を有し、表示部材１と上ケース４との間に表示部材１の可視エリアを規定する第１の透視部３２を有する第１のマスク部材３を組み付け、表示部材１と上ケース４との間に表示部材１の可視エリアを規定する第２の透視部６２を有すると共に第２の透視部６２の位置設定が第１のマスク部材３における第１の透視部３２の位置設定とは異なる第２のマスク部材６を組み付けることにより、各透視部３２，６２によって透視エリアを規定できるため、各下ケース２，５における各収納部２１，５１の長手方向における位置が異なる場合であっても、不要な部分が視認されることがなく、表示品質を向上させることができる。
【図面の簡単な説明】
【００３７】
【図１】本発明の第１の実施形態による表示装置の分解斜視図で、（ａ）は左ハンドル車に搭載する表示装置の分解斜視図、（ｂ）は右ハンドル車に搭載する表示装置の分解斜視図。
【図２】発明の第１の実施形態による表示装置の組み付け完了状態を示す側面図で、（ａ）は左ハンドル車に搭載する表示装置の側面図、（ｂ）は右ハンドル車に搭載する表示装置の側面図。
【符号の説明】
【００３８】
１  表示部材
２  下ケース（第１のケース体）
３  第１のマスク部材
４  上ケース（第３のケース体）
５  下ケース（第２のケース体）
６  第２のマスク部材
２１  第１の収納部（第１の配設部）
２２，２３  第１，第２の取付部
２４  第１の係合部
２５，２６，４５，４６，５５，５６  取付孔
２７，２８  第１，第２の係合凹部
３１，６１  遮蔽部
３２  第１の透視部
４１  第１の収容部
４２，４３  第５，第６の取付部
４４  係合部（第３の係合部）
４５  開口部
５１  第２の収納部（第２の配設部）
５２，５３  第３，第４の取付部
５４  第２の係合部
５７，５８  第３，第４の係合凹部
６２  第２の透視部
Ｃ  カバー
【図１】
2009122161.tif 000003
【図２】
2009122161.tif 000004